【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
ａ）配列番号１、配列番号９１、配列番号２、配列番号４、配列番号５、配列番号７、配列番号１０、配列番号１１、配列番号１２、配列番号１４、配列番号１５、配列番号１７、および配列番号１８より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項２】
ａ）配列番号２０、配列番号２１、配列番号２３、配列番号２４、配列番号２５、配列番号２７、配列番号２８、配列番号２９および、配列番号９０より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項３】
ａ）配列番号３３、配列番号３４、配列番号３５、配列番号３７、配列番号３８、配列番号４０、配列番号４１、配列番号４２、配列番号４４、配列番号４５、配列番号４６、配列番号４７、配列番号４９、配列番号５０、配列番号５１、配列番号５３、配列番号５４、配列番号５５、配列番号５７、配列番号５８、配列番号６０、配列番号６２、配列番号６３、および配列番号６４より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項４】
ａ）配列番号６６、配列番号６７、配列番号６９、配列番号７０、配列番号７１、配列番号７３、配列番号７４、配列番号７５、配列番号７７、配列番号５９、および配列番号７８より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項５】
ａ）配列番号８０、配列番号８１、および配列番号８２より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項６】
ａ）配列番号８４および配列番号８５より成る群から選択されたポリヌクレオチド；および
ｂ）ａ）のポリヌクレオチドに少なくとも８５％の相同性をもち、そしてそれが実質的にａ）のポリヌクレオチドと同じ収量を与えるポリヌクレオチド：
より成る群から選択された単離ポリヌクレオチド。
【請求項７】
ａ）配列番号１、配列番号９１、配列番号２、配列番号４、配列番号５、配列番号７、配列番号１０、配列番号１１、配列番号１２、配列番号１４、配列番号１５、配列番号１７、配列番号１８、配列番号２０、配列番号２１、配列番号２３、配列番号２４、配列番号２５、配列番号２７、配列番号２８、配列番号２９、配列番号９０、配列番号３３、配列番号３４、配列番号３５、配列番号３７、配列番号３８、配列番号４０、配列番号４１、配列番号４２、配列番号４４、配列番号４５、配列番号４６、配列番号４７、配列番号４９、配列番号５０、配列番号５１、配列番号５３、配列番号５４、配列番号５５、配列番号５７、配列番号５８、配列番号６０、配列番号６２、配列番号６３、配列番号６４、配列番号６６、配列番号６７、配列番号６９、配列番号７０、配列番号７１、配列番号７３、配列番号７４、配列番号７５、配列番号７７、配列番号５９、配列番号７８、配列番号８０、配列番号８１、配列番号８２、配列番号８４、および配列番号８５
より成る群から選択されたポリヌクレオチドによりコードされたポリペプチド；
ｂ）配列番号３、配列番号６、配列番号９、配列番号１３、配列番号１６、配列番号１９、配列番号２２、配列番号２６、配列番号３０、配列番号３２、配列番号３６、配列番号３９、配列番号４３、配列番号４８、配列番号５２、配列番号５６、配列番号６１、配列番号６５、配列番号６８、配列番号７２、配列番号７６、配列番号７９、配列番号８３、および配列番号８６
より成る群から選択されたポリペプチド
ｃ）ａ）又はｂ）のポリペプチドをコードするポリヌクレオチドに少なくとも８５％の相同性をもち、そしてそれが実質的にａ）又はｂ）のポリペプチドをコードするポリヌクレオチドと同じ収量を与えるポリヌクレオチド、によりコードされたポリペプチド：
より成る群から選択された単離ポリペプチド。
【請求項８】
ａ）植物細胞を、当該細胞に天然には存在しない請求項１ないし６のいずれか１項に記載のＥＧ３０７ポリヌクレオチドに由来し、ポリペプチドをコードし、且つトランスジェニックタンパク質の発現に効果的に使用可能なプロモーターに機能可能に連結された異種ＤＮＡセグメントを含むようにトランスフェクトする工程；
ｂ）場合により、当該細胞をそこからトランスジェニック植物が再生される条件下で成育させ、そして維持する工程；および
ｃ）場合により、当該ＤＮＡが発現される条件下で前記トランスジェニック植物を成育させて、当該植物中のＥＧ３０７ポリペプチドの総量を増加させる工程：
を含む、トランスフェクト植物細胞またはトランスジェニック植物の製造方法。
【請求項９】
前記異種ＤＮＡセグメントを含む前記トランスジェニック植物の子孫の以降の世代を得、そして成育させ、当該異種ＤＮＡセグメントを発現させる工程をさらに含む、請求項８の方法。
【請求項１０】
請求項７に記載のＥＧ３０７ポリペプチドをコードする異種ＤＮＡを含む、植物細胞。
【請求項１１】
請求項１０に記載のトランスジェニック植物細胞を含むトランスジェニック植物の増殖用の材料。
【請求項１２】
植物組織中で発現する請求項７に記載のＥＧ３０７ポリペプチドをコードする異種ＤＮＡを含む、トランスジェニック植物。
【請求項１３】
植物組織中で請求項１ないし６のいずれか１項に記載のＥＧ３０７ポリヌクレオチドに機能可能に連結されているプロモーターを含む、単離されたポリヌクレオチド。
【請求項１４】
ポリヌクレオチドが組換えポリヌクレオチドである、請求項１３の単離されたポリヌクレオチド。
【請求項１５】
プロモーターがＥＧ３０７遺伝子に天然に存在するプロモーターである、請求項１３の方法。
【請求項１６】
リポータータンパク質をコードするポリヌクレオチドに機能可能に連結された、進化的に有意な請求項１ないし６のいずれか１項に記載のＥＧ３０７ポリヌクレオチドからのプロモーター、エンハンサーもしくはイントロンのポリヌクレオチド、またはそれらの任意の組み合わせを含む構築体でトランスフェクトされた宿主細胞を含む、トランスフェクトされた宿主細胞。
【請求項１７】
収量を調整することが可能な作用物質を同定する方法であって、少なくとも１つの候補作用物質を、請求項１ないし６のいずれか１項に記載のＥＧ３０７ポリヌクレオチドを含む植物または細胞に接触させ、収量を調整するその能力により作用物質を同定することを含む、前記方法。
【請求項１８】
請求項１７の方法に従って同定された作用物質。
【請求項１９】
植物における収量増加をもたらす方法であって、
ａ）請求項７に記載のＥＧ３０７ポリペプチドをコードする異種ＤＮＡをもつトランスフェクト植物細胞を製造する工程、これによってＥＧ３０７が植物細胞中で発現される、；そして
ｂ）トランスフェクト植物細胞からトランスジェニック植物を成育させる工程、ここにおいて、ＥＧ３０７トランスジーンが当該トランスジェニック植物中で発現される：
を含む、前記方法。
【請求項２０】
トランスジーンが、当該トランスジーンの発現制御に適した調節配列の制御下にある、請求項１９の方法。
【請求項２１】
ＥＧ３０７ポリペプチドの製造方法であって、
ａ）発現のために細胞中に配置された、請求項１ないし６のいずれか１項に記載のＥＧ３０７ポリヌクレオチドでトランスフェクトされた前記細胞を提供する工程；
ｂ）当該ポリヌクレオチドを発現するための条件下で当該トランスフェクト細胞を培養する工程；そして
ｃ）当該ＥＧ３０７ポリペプチドを単離する工程：
を含む、前記方法。
【請求項２２】
ＥＧ３０７遺伝子をコードする異種ＤＮＡが、当該遺伝子の構成的発現をもたらすプロモーターの制御下にある、請求項２１の方法。
【請求項２３】
ＥＧ３０７遺伝子をコードする前記異種ＤＮＡが、当該遺伝子の制御可能な発現をもたらすプロモーターの制御下にある、請求項２１の方法。
【請求項２４】
収量関連遺伝子またはその断片を植物細胞から単離する方法であって、
ａ）植物細胞ポリヌクレオチドの試料を提供する工程；
ｂ）請求項１ないし６のいずれか１項に記載のＥＧ３０７ポリヌクレオチドの保存領域に配列相同性をもつオリゴヌクレオチドのペアを提供する工程；
ｃ）オリゴヌクレオチドの当該ペアを、ポリメラーゼ連鎖反応仲介ポリヌクレオチド増幅に適した条件下で当該植物細胞ポリヌクレオチド試料に結合させる工程；そして
ｄ）増幅された収量関連ポリヌクレオチドまたはその断片を単離する工程：
を含む、前記方法。
【請求項２５】
請求項２４の方法により単離された、植物収量関連ポリヌクレオチド。
【請求項２６】
収量関連ポリヌクレオチドを単離する方法であって、
ａ）ゲノム植物細胞ＤＮＡおよび組み替え体植物細胞ライブラリーポリヌクレオチドより成る群から選択されたポリヌクレオチドの調製物を提供する工程；
ｂ）当該調製物を、５０％またはそれより大きい配列同一性をもつポリヌクレオチドの検出をもたらすハイブリッド形成条件下で、請求項１ないし６のいずれか１項に記載のポリヌクレオチドの一部である、長さが１２ヌクレオチド若しくはそれより長い、ＥＧ３０７オリゴヌクレオチドと接触させる工程；そして
ｃ）当該ＥＧ３０７オリゴヌクレオチドとの会合により収量関連ポリヌクレオチドを単離する工程：
を含む、前記方法。
【請求項２７】
ＥＧ３０７オリゴヌクレオチドが検出可能に標識され、そして当該検出可能標識との会合により収量関連遺伝子が単離される、請求項２６の方法。
【請求項２８】
ＥＧ３０７オリゴヌクレオチドが少なくとも長さ３０ヌクレオチドである、請求項２６の方法。
【請求項２９】
植物の収量関連遺伝子を同定する方法であって、
ａ）植物組織試料を提供する工程；
ｂ）当該植物組織試料中へ候補植物収量関連遺伝子を導入する工程；
ｃ）当該植物組織試料内で当該候補植物収量関連遺伝子を発現させる工程；そして
ｄ）応答の変化が植物収量関連遺伝子を同定する、収量応答の変化を当該植物組織試料が示すかどうかを決定する工程：
を含む、前記方法。
【請求項３０】
請求項２９の方法に従って単離された、植物収量関連遺伝子。